(57)【要約】【課題】  正反射光下と拡散反射光下において出現する画像の視認性が高く、特殊な機能性材料を必要とせず、安価で、かつ、製造が容易な真偽判別可能な情報担持体を提供する。【解決手段】  本発明は、基材上に、基材と異なる色彩で面積率の差により区分けされた第１の模様部と第１の背景部から成る下地画像と、その上に基材と異なる色彩で、盛り上がりを有する万線状の四つの画線群から成る集合蒲鉾状画線群と、さらにその上に、下地画像と同じ色相を有し、明暗フリップフロップ性又はカラーフリップフロップ性の少なくともどちらか一方の特性を有して、面積率の差により区分けされた第２の模様部と第２の背景部から成る反射層が順次積層された真偽判別可能な情報担持体である。【選択図】  図７
2017056641.tif 000002
【特許請求の範囲】
【請求項１】
基材上の少なくとも一部に、前記基材と異なる色彩の第１のインキにより印刷され、面積率が異なることで区分けされた第１の模様部と第１の背景部から成る下地画像と、前記基材と異なる色彩の樹脂系の第２のインキにより、盛り上がりを有するように印刷された万線状の画線を有する集合蒲鉾状画線群と、前記第１のインキと同じ色相を有し、明暗フリップフロップ性又はカラーフリップフロップ性の少なくともいずれか一方の特性を備えた第３のインキにより印刷され、面積率が異なることで区分けされた第２の模様部と第２の背景部から成る反射層が順次積層されて成る印刷画像が形成され、
前記集合蒲鉾状画線群は、互いに重ならないように隣接して配置された四つの画線群から成り、
前記四つの画線群は、第１の蒲鉾状画線が第１の方向に第１の画線面積率で万線状に配列された第１の蒲鉾状画線群と、第２の蒲鉾状画線が前記第１の方向に、前記第１の蒲鉾状画線面積率とは異なる第２の画線面積率で万線状に配列された第２の蒲鉾状画線群と、第３の蒲鉾状画線が前記第１の方向とは異なる第２の方向に前記第１の画線面積率で万線状に配列された第３の蒲鉾状画線群と、第４の蒲鉾状画線が前記第２の方向に第２の画線面積率で万線状に配列された第４の蒲鉾状画線群から成り、
前記第２の蒲鉾状画線群と前記第４の蒲鉾状画線群により、第一の有意情報が形成され、
前記第３の蒲鉾状画線群と前記第４の蒲鉾状画線群により、第二の有意情報が形成され、
前記第１の蒲鉾状画線群により、前記第一の有意情報及び前記第二の有意情報の共有の背景部が形成され、
前記下地画像の前記第１の情報部及び前記第１の背景部と、前記反射層の前記第２の背景部及び前記第２の情報部により、ネガポジの関係を有して第三の有意情報が形成され、
前記基材に対して、拡散反射光下では前記第一の有意情報のみが観察でき、拡散反射光と正反射光が混在する観察角度では、前記第一の有意情報が消失して前記第二の有意情報が出現し、正反射光が支配的な観察角度では前記第三の有意情報のみが観察できることを特徴とする真偽判別可能な情報担持体。
【請求項２】
前記第一の画線面積率と前記第二の画線面積率の差が、５％以上５０％以下であることを特徴とする請求項１記載の真偽判別可能な情報担持体。
【請求項３】
前記下地画像における最大面積率と最小面積率の差が、５％以上３０％以下であることを特徴とする請求項１又は２記載の真偽判別可能な情報担持体。
【請求項４】
前記反射層における最大面積率と最小面積率の差が、１５％以上４０％以下であることを特徴とする請求項１乃至３のいずれか１項記載の真偽判別可能な情報担持体。
【発明の詳細な説明】
【技術分野】
【０００１】
本発明は、偽造防止効果を必要とする銀行券、パスポート、有価証券、身分証明書、カード、通行券等のセキュリティ印刷物の分野において、光が入射することで優れた画像のチェンジ効果を生じる、高い真偽判別性を備えた真偽判別可能な情報担持体に関する。
【背景技術】
【０００２】
近年のスキャナ、プリンタ、カラーコピー機等のデジタル機器の進展により、貴重印刷物の精巧な複製物を容易に作製することが可能となっている。そのため、複製や偽造を防止する偽造防止技術の一つとして、観察角度によって画像がチェンジするホログラムに代表される光学的なセキュリティ要素を貼付したものが多く存在するようになった。
【０００３】
しかし、ホログラムは、インキを用いた印刷によって形成する従来の偽造防止技術とは異なり、複雑な製造工程と特殊な材料を用いて形成されることから、従来の偽造防止用印刷物と比較すると製造に手間がかかり、かつ、極めて高価である。このことから、金属インキ、干渉マイカ、酸化フレークマイカ、顔料コートアルミニウムフレーク、光学的変化フレーク等の特殊な光反射性粉体をインキ又は塗料に配合し、かつ、特殊な材料同士の重ね合わせや複雑な網点構成を用いることによって、ホログラムと同様な画像変化を実現した一般的な印刷方法で画像のチェンジ効果を実現した偽造防止用印刷物が出現している。
【０００４】
ここで、同じ画像のチェンジ効果であっても、チェンジする画像の数が多いほど一般に偽造抵抗力に優れる。当然のことながら、二つの画像がチェンジする効果を実現するよりも、三つの画像がチェンジする効果を実現する方が難しいためである。そのため、可視光下で三つの画像のチェンジ効果を有した偽造防止技術も存在する。
【０００５】
本出願人は、一般的で、かつ、比較的安価な材料及び簡単な印刷手段を使用していながら、特定の観察角度において、印刷物中の特定部位における人の目に認識される情報が、可視光下の観察角度を変化させることによって、全く異なる三つの情報に変化する偽造防止用情報担持体に係る発明を出願している（例えば、特許文献１、特許文献２参照）。
【先行技術文献】
【特許文献】
【０００６】
【特許文献１】特許第５５９７８７４号公報
【特許文献２】特許第５１４２１５６号公報
【発明の概要】
【発明が解決しようとする課題】
【０００７】
特許文献１の技術は、二つの異なる印刷層を重ねて構成する技術であり、拡散反射光下、弱い正反射光下、強い正反射光下の三つの異なる観察条件に応じて三つの画像がチェンジする効果を有する技術である。しかし、強い正反射光下の観察条件に関しては、印刷物を深く傾けてさらに画像を正反射させるという他に類を見ない観察方法であるために慣れが必要であるとともに、視認性も低いという問題があった。そのため、初めて観察する観察者は三つ目の画像の変化に気が付かない場合もあった。
【０００８】
特許文献２の技術は、少なくとも二回のスクリーン印刷で構成する技術であり、拡散反射光下、拡散反射光と正反射光が混在する条件下、正反射光が支配的な条件下の三つの異なる観察条件に応じて三つの画像がチェンジする効果を有する技術である。特許文献１の技術と異なり、いずれの画像も容易に観察でき、かつ、視認性が高い、優れた技術であるが、二回のスクリーン印刷を必要とし、かつ、それぞれのスクリーン画線同士を重なり合わないように隙間無く刷り合わせる必要があった。スクリーン印刷を１パスで二回行う印刷機は極めて珍しいため、通常、スクリーン印刷機に通して一回スクリーン印刷を行った印刷物を、更にもう一度スクリーン印刷機に通して再度刷り合わせながら二回目のスクリーン印刷を行う必要があった。スクリーン印刷機は、一般的には、オフセット印刷機と比較すると刷り合わせ精度が高くないため、製造が難しく、歩留まりが悪くなるという問題があった。また、インキ中には、干渉色の異なる二種類の特殊な機能性材料を配合する必要があり、通常の印刷物よりコスト高となるという問題があった。
【０００９】
また、特許文献２の技術は、二つの盛り上がりのある蒲鉾状画線によって構成する技術であって、拡散反射光下では、可視画像が視認され、拡散反射光と正反射光が混在する条件下では、盛り上がりのある画線群の画線方向の違いによって構成された第一の潜像画像が出現し、正反射光下では、画線の干渉色の異なる第二の潜像画像が出現する。これらの画像のチェンジ効果は、蒲鉾状画像の光学特性に依存する。すなわち、チェンジ効果を得るためには、正反射光下で可視画像を消失させる必要があるため、蒲鉾状画像の反射光量が大きくなければならず、また、第一の潜像画像を出現させるためには、蒲鉾状画線の画線角度の違いから生じる反射光量の差が大きくなければならず、第二の潜像画像を出現させるためには、異なる干渉色の機能性材料を含んで形成された蒲鉾状画線間の色相が大きく異ならなければならない。
【００１０】
蒲鉾状画線に前述のような特別な光学特性を付与するには、蒲鉾状画線を形成するインキに特殊な光学特性を有する機能性材料を混合する必要がある。これらの機能性材料の代表物としては、パール顔料、メタリック顔料、ガラスフレーク、エフェクト顔料等が存在する。また、市販されている色彩変化に富んだ特性を有するインキ、例えば、ＯＶＩ（Ｏｐｔｉｃａｌ Ｖａｒｉａｂｌｅ Ｉｎｋ）、ＣＳＩ（Ｃｏｌｏｒ Ｓｈｉｆｔｉｎｇ Ｉｎｋ）、コレステリック液晶インキ等を使用することでも同じ効果を得ることができる。このように光学特性に優れた機能性材料が配合されたインキや光学特性に優れたインキを用いて印刷した画線は、機能性材料やインキ由来の優れた光学特性が発揮される。しかしながら、通常の厚みのない、平坦な印刷画線と異なり、盛り上がりを有する蒲鉾状画線にこのような特殊なインキを用いて優れた光学特性を付与することには、以下のような問題があった。
【００１１】
これらのインキに含まれる機能性材料のうち、パール顔料に代表される機能性材料の多くは薄くて平らな鱗ペン形状をしている。このような形状をした材料は、全ての材料が同じ向きに揃って並んだ（リーフィングした）場合に光の反射する光量が最も大きくなり、効果が高まる一方で、それぞれの顔料が個別に異なる角度を成してランダムに並んだ場合、反射光量は極端に小さくなり、効果が著しく低くなる。通常の印刷物のように、印刷画線に厚みがなく平坦な画線である場合、画線のインキ膜内で顔料が角度を変える自由度がほとんど無いため、インキ中の鱗ペン状の機能性材料は、乾燥過程で自然に平坦となって、全ての材料の向きが揃うことから、特段の工夫を施さなくても一定以上の効果を常に得ることができる。
【００１２】
しかしながら、盛り上がりのある蒲鉾状画線中では、図１０（ａ）に示すように、インキ樹脂（ａ）に高さがあり、機能性材料（ｂ）が角度を変えられる自由度が存在することから、機能性材料（ｂ）がランダムに別々の方向に傾いて固定され、蒲鉾状画線から生じる反射光量が平坦な画線と比較して極端に小さくなり、出現する画像の視認性が低くなるという問題があった。
【００１３】
また、拡散反射光と正反射光が混在する条件下で出現する第二の潜像画像は、蒲鉾状画線の画線方向の違いによって構成されているため、第二の潜像画像が可視化されるためには、蒲鉾状画線の画線方向由来の反射光が生じる必要がある。そのためには、正反射光下においては、蒲鉾状画線の画線表面で反射された表面反射光（ｃ）が支配的である必要がある。
【００１４】
しかしながら、図１０（ｂ）に示すように、盛り上がりのある蒲鉾状画線中では、表面反射光（ｃ）以外に、蒲鉾状画線内部にランダムに固定された機能性材料（ｂ）から蒲鉾状画線方向とは無関係なランダムな内面反射光（ｄ）が生じてしまう。表面反射光（ｃ）の光量に対する内面反射光（ｄ）の光量が多くなれば多くなるほど、拡散反射光と正反射光が混在する条件下で出現する第二の潜像画像は、不明瞭になるという問題があった。以上のように、鱗ペン状の機能性材料を配合したインキによって盛り上がりのある蒲鉾状画線を形成した場合、反射光量が低下するとともに、蒲鉾状画線内面から生じる不適切な内面反射光（ｄ）の介在によって、出現する画像の視認性が低下したり、出現した画像が不明瞭な画像となる問題があった。
【００１５】
この問題を回避する一つの方法として、特許文献２に記載の技術の中では、鱗ペン状の機能性材料の表面に特殊な撥水及び撥油処理を施して用いる場合がある。この場合、図１１（ａ）に示すように、印刷直後に蒲鉾状画線の画線表面の盛り上がりに沿って機能性材料（ｂ）がリーフィングすることから、図１０（ａ）のような機能性材料（ｂ）がランダムに別々の方向に傾いた状態と比較して、より大きな反射光量を得ることができる。
【００１６】
また、図１１（ｂ）に示すように光が入射した場合、機能性材料（ｂ）は、蒲鉾状画線表面にのみ存在することから、蒲鉾状画線内面由来の不適切な反射光が生じることなく、蒲鉾状画線表面由来の反射光(ｃ)のみが生じ、画線方向由来の第二の潜像画像が鮮明に出現する。
【００１７】
以上のように、図１１（ａ）に示すような蒲鉾状画線の画線表面の盛り上がりに沿って機能性材料（ｂ）がリーフィングした構造を作り出すことによって、図１０（ｂ）のような蒲鉾状画線で生じる問題を解決する方法が存在する。しかし、この機能性材料（ｂ）の特別な表面処理には大きな手間とコストがかかるという問題があった。また、撥水及び撥油処理が施された鱗ペン状顔料は、インキ樹脂との密着性が弱いことに加え、画線表面に機能性材料（ｂ）の一部が露出した状態や機能性材料（ｂ）が十分にインキ樹脂に被覆されていない状態となるため、画線表面が擦られることで機能性材料（ｂ）が脱落し易いという堅牢性の問題があった。  
【００１８】
また、図１０（ａ）のような機能性材料（ｂ）の向きがランダムな蒲鉾状画線であっても、図１１（ａ）のような機能性材料（ｂ）がリーフィングした蒲鉾状画線であっても、それぞれの蒲鉾状画線に共通して要求される事項として、高い視認性と鮮明さを実現するためには、それぞれの蒲鉾状画線の画線形状は、全て一定の盛り上がり高さを有した完全に均質な三次元構造を有する必要があり、かつ、蒲鉾状画線の表面は、微細な凹凸の無い滑らかな表面構造を有することが求められる。このような蒲鉾状画線の構造を実現するために、インキの粘度は高いことが好ましい。一方で、蒲鉾状画線に対して前述のような特殊な光学特性を付与するために、顔料の配向を阻害させないためにインキの粘度は低いことが好ましい。以上のように、蒲鉾状画線に対して前述のような特殊な光学特性を満たすためのインキの条件と、画線形状としても均質で滑らかな三次元構造の実現するためのインキの条件は相反するため、印刷によって一瞬で形成される単一の画線に対して、これら相互に異なる要求を高いレベルで同時に実現することは困難であった。
【００１９】
本発明は、上記課題の解決を目的とするものであり、下地の画像、蒲鉾状画線群及び反射層の三層構造で形成する、自然光下で三つの異なる画像にチェンジする効果を有した印刷物であって、盛り上がりを有する蒲鉾状画線から生じる反射光の反射光量を高めるとともに、その反射光も蒲鉾状画線表面由来の反射光のみとすることで、正反射光下で出現する潜像の視認性が高く、チェンジ効果が明瞭であって、特別な機能性材料を必要とせず安価であって、かつ製造が容易である真偽判別可能な情報担持体を提供する。
【課題を解決するための手段】
【００２０】
本発明は、基材上の少なくとも一部に、基材と異なる色彩の第１のインキにより面積率が異なることで区分けされた第１の模様部と第１の背景部から成る下地画像と、基材と異なる色彩の樹脂系の第２のインキにより、盛り上がりを有するように印刷された万線状の画線を有する集合蒲鉾状画線群と、第１のインキと同じ色相を有し、明暗フリップフロップ性又はカラーフリップフロップ性のどちらか一方の特性を備えた第３のインキにより印刷された反射層が順次積層されて成る印刷画像が形成され、集合蒲鉾状画線群は、互いに重ならないように隣接して配置された四つの画線群から成り、四つの画線群は、第１の蒲鉾状画線が第１の方向に第１の画線面積率で万線状に配列された第１の蒲鉾状画線群と、第２の蒲鉾状画線が前記第１の方向に、第１の蒲鉾状画線面積率とは異なる第２の画線面積率で万線状に配列された第２の蒲鉾状画線群と、第３の蒲鉾状画線が第１の方向とは異なる第２の方向に第１の画線面積率で万線状に配列された第３の蒲鉾状画線群と、第４の蒲鉾状画線が第２の方向に第２の画線面積率で万線状に配列された第４の蒲鉾状画線群から成り、第３の蒲鉾状画線群と第４の蒲鉾状画線群により、第一の有意情報が形成され、第２の蒲鉾状画線群と第４の蒲鉾状画線群により、第二の有意情報が形成され、第１の蒲鉾状画線群は、第一の有意情報及び第二の有意情報の共有の背景部となり、下地画像の第１の情報部及び第１の背景部と、反射層の第２の背景部及び第２の情報部は、ネガポジの関係を有して第三の有意情報を形成し、基材に対して、拡散反射光下では第一の有意情報のみが観察でき、拡散反射光と正反射光が混在する観察角度では、第一の有意情報が消失して第二の有意情報が出現し、正反射光が支配的な観察角度では第三の有意情報のみが観察できることを特徴とする真偽判別可能な情報担持体である。
【００２１】
本発明の真偽判別可能な情報担持体は、第１の面積率と第２の面積率の差異が５％以上５０％以下であることを特徴とする。
【００２２】
また、本発明の真偽判別可能な情報担持体は、下地画像における最大面積率と最小面積率の差が５％以上３０％以下であることを特徴とする。
【００２３】
さらに、本発明の真偽判別可能な情報担持体は、反射層における最大面積率と最小面積率の差異が１５％以上４０％以下であることを特徴とする。
【発明の効果】
【００２４】
本発明の真偽判別可能な情報担持体は、オフセット印刷で形成した下地画像の上に蒲鉾状画線群を重ね、更に蒲鉾状画線の上に明暗フリップフロップ性又はカラーフリップフロップ性を有する反射層を重ねて形成する。すなわち、スクリーン印刷で形成した画像をオフセット印刷で形成した画像で上下から挟みこんだ構造を有する。最下層の下地画像と最上層の反射層はある程度の刷り合わせは必要なものの、画像同士に一定のオーバーラップが許容される構成であることから、要求される刷り合わせ精度は高くない。また、スクリーン印刷で形成する画像は蒲鉾状画線群一つのみであり、上下層にあるオフセット印刷画像と単に重なり合っていればよく、このスクリーン印刷による画像は刷り合わせの必要がない。よって、比較的容易に三つの画像がチェンジする印刷物を製造することができる。
【００２５】
本発明の真偽判別可能な情報担持体は、従来の技術のように蒲鉾状画線自体が明暗フリップフロップ性又はカラーフリップフロップ性のような特別な光学特性を備える必要がない。この光学特性は、蒲鉾状画線の上に別に印刷される反射層が担う。反射層は、優れた光学特性を実現することに目的を絞って作製すればよいことから、必要とされる特殊な光学特性を実現しやすい。
【００２６】
また、反射層は基材上に形成されるわけではなく、光沢を有するインキ樹脂で形成された蒲鉾状画線の上に重なる。インキ樹脂上に印刷された反射層の反射光量は、反射層自体の反射光量に加えて、下地となるインキ樹脂の反射光量に準じる光量が加算され全体に大きく嵩上げされることから、通常の上質紙やコート紙上に同じインキで印刷された反射層の反射光量よりも、インキ樹脂上に印刷された反射層の反射光量のほうがより大きくなる。このため、従来技術の蒲鉾状画線と比較して反射光量が高くすることができるため、拡散反射光と正反射光が混在する観察角度で出現する潜像の視認性が向上した。
【００２７】
本発明の真偽判別可能な情報担持体は、従来の技術のように蒲鉾状画線自体が明暗フリップフロップ性又はカラーフリップフロップ性のような特別な光学特性を備える必要がない。このため、蒲鉾状画線群が一定の盛り上がりを有してそれぞれが均質であって、画線表面が滑らかで凹凸の少ない盛り上がりのある画線を形成することに特化して設計されたインキを用いることができ、従来よりも高品質な蒲鉾状画線を形成することができ、結果として潜像の鮮明さが向上した。
【００２８】
また、仮に蒲鉾状画線が印刷された段階で蒲鉾状画線の画線表面に滑らかさが欠け、画線表面に微小な凹凸が存在していたとしても、後刷りで形成される反射層のインキ皮膜によって表面の凹凸が被覆されるため、蒲鉾状画線の画線表面をより平滑化する作用が生まれる。この作用により、正反射光下で出現する潜像の鮮明さが向上した。
【００２９】
本発明の真偽判別可能な情報担持体において、反射層から生じる反射光は、蒲鉾状画線から生じる画線表面由来の反射光が支配的となる。このため、従来の技術のように内面反射光のような不必要な反射光によって第二の有意情報が不鮮明となることがなく、従来の技術と比較して出現する潜像の鮮明さが向上した。
【００３０】
本発明の真偽判別可能な情報担持体の蒲鉾状画線は、従来の技術のように反射層の形成に特殊な機能性材料を用いることなく、従来技術以上の画像のチェンジ効果を実現できる。また、従来技術の蒲鉾状画線のように、撥水及び撥油処理された機能性材料を用いる必要がないことから、画線表面が擦られることで機能性材料が脱落することがなく、従来の技術と比較して堅牢性が向上した。また、特殊な機能性材料を用いる必要がなく、安価に形成可能である。
【図面の簡単な説明】
【００３１】
【図１】本発明の潜像印刷物を示す。
【図２】本発明の潜像印刷物の構成の概要図を示す。
【図３】本発明の潜像印刷物の下地画像を示す。
【図４】本発明の潜像印刷物の集合蒲鉾状画線群を示す。
【図５】本発明の潜像印刷物の集合蒲鉾状画線群を示す。
【図６】本発明の潜像印刷物の反射層を示す。
【図７】本発明の潜像印刷物のそれぞれの層の積層関係を示す。
【図８】本発明の蒲鉾状画線と反射層が入射光を反射する概要図を示す。
【図９】三層構成の場合の本発明の潜像印刷物の効果を示す。
【図１０】従来の潜像印刷物の蒲鉾状画線を示す。
【図１１】従来の潜像印刷物の蒲鉾状画線を示す。
【発明を実施するための形態】
【００３２】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００３３】
（実施の形態）
実施の形態として、本発明における真偽判別可能な情報担持体（以下、「情報担持体」という。）（１）の基本的な構成について、図１から図９を用いて説明する。図１に、本発明の情報担持体（１）を示す。情報担持体（１）は、基材（２）上に印刷画像（３）を有して成る。基材（２）は、印刷画像（３）が形成可能な平面を備えていればよく、上質紙、コート紙、プラスティック、金属等、材質は特に限定されない。その他、基材（２）の色彩や大きさについても特に制限はない。印刷画像（３）の色彩については、基材（２）と異なる色彩を有する必要がある。具体的な色彩や要求される光学特性については、反射層（６）の光学特性として後述する。
【００３４】
図２に印刷画像（３）の構成の概要を示す。印刷画像（３）は、下地画像（４）の上に集合蒲鉾状画線群（５）が重なり、集合蒲鉾状画線群（５）の上に反射層（６）が重なって形成されて成る。下地画像（４）と反射層（６）は、同じ第三の有意情報を表して成るが、その画像の濃淡の関係は、濃淡反転した関係にある。また、集合蒲鉾状画線群（５）は、盛り上がりを有した蒲鉾状画線（７）によって構成されて成り、その画像中に第一の有意情報及び第二の有意情報を含んで成る。本実施の形態において、第一の有意情報とは、アルファベットの「ＪＰＮ」の文字であり、第二の有意情報とは、「桜」の画像を指す。第三の有意情報は、アルファベットの「ＯＫ」の文字である。
【００３５】
まず、下地画像（４）について説明する。図３に示す下地画像（４）は、透明以外の基材（２）と異なる色彩を有して、一定の階調表現域の範囲で第三の有意情報を表して成る。下地画像（４）は、基本的には一定の濃度を有する一般的な着色インキで形成すればよい。画線の盛り上がり高さは必要ないため、一般的なオフセット印刷、フレキソ印刷、凸版印刷等の印刷方式で平坦な画像として形成すればよい。本実施の形態においては、下地画像（４）の表す第三の有意情報を単純な二値画像とし、かつ、第三の有意情報をネガの状態で表しているため、アルファベットの「ＯＫ」の文字を表す第１の情報部（４Ａ）とその背景を表す第１の背景部（４Ｂ）に区分けされる。
【００３６】
ここで、下地画像（４）における一定の階調表現域の範囲とは、下地画像（４）を構成する画像全体の最大面積率と最小面積率の差を定め、その範囲内で表現できる階調範囲を指す。下地画像（４）を構成するインキの色彩にもよるが、基本的には、下地画像（４）における最大面積率と最小面積率の差を５％以上３０％以下とすることが好ましい。例えば、図３の例で言えば、第１の情報部（４Ａ）の画線面積率（反射層（６）の最大面積率）を４０％とするのであれば、第１の背景部（４Ｂ）の画線面積率（反射層（６）の最小面積率）は、１０％以上３５％以下とする必要があり、第１の情報部（４Ａ）の画線面積率を３０％とするのであれば第１の背景部（４Ｂ）の画線面積率は、０％以上２５％以下とする必要がある。少なくとも集合蒲鉾状画線群（５）における第一の有意情報の濃淡差よりも第三の有意情報の濃淡差が小さくなるように設計する必要がある。この階調表現域を一定の範囲に制限するのは、拡散反射光下及び正反射光下において、第三の有意情報を観察者に視認させないためである。
【００３７】
なお、本実施の形態において、第三の有意情報を単純な二値画像としたが、一定の階調表現域の範囲で表すのであれば、写真のような連続した階調を有する多階調画像を用いても何ら問題ない。
【００３８】
また、下地画像（４）は、後述する反射層（６）との関係が特に重要であり、互いの色相及び表現する画像に関して大きく関係する。これに関しては、反射層（６）の説明において具体的に記載する。以上が下地画像（４）の説明である。
【００３９】
さらに、本発明における「色彩」とは、色相、彩度及び明度の概念を含んで色を表したものであり、また、「色相」とは、赤、青、黄といった色の様相のことであり、具体的には、可視光領域（４００〜７００ｎｍ）の特定の波長の強弱の分布を示すものである。また、本発明における「色相が同じ」とは、二つの色において赤、青、黄といった色の様相が一致し、可視光領域の波長の強弱の分布が二つの色において相関を有することである。本発明においては、「白」「灰」「黒」等の無彩色に関しても、一つの同じ色相に属すると考える。
【００４０】
続いて、集合蒲鉾状画線群（５）について説明する。図４に、下地画像（４）上に形成される集合蒲鉾状画線群（５）の一例を示す。集合蒲鉾状画線群（５）は、画線方向と画線幅の異なる四種類の蒲鉾状画線（７）、すなわち、第１の蒲鉾状画線（７Ａ）、第２の蒲鉾状画線（７Ｂ）、第３の蒲鉾状画線（７Ｃ）及び第４の蒲鉾状画線（７Ｄ）から成る。
【００４１】
本実施の形態における第１の蒲鉾状画線（７Ａ）は、第２の方向（図中Ｓ２方向）の画線方向及び第１の画線幅（Ｗ１）を有する。第２蒲鉾状画線（７Ｂ）は、第２の方向の画線方向及び第２の画線幅（Ｗ２）を有する。第３の蒲鉾状画線（７Ｃ）は、第１の方向（図中Ｓ１方向）の画線方向及び第１の画線幅（Ｗ１）を有する。第４の蒲鉾状画線（７Ｄ）は、第１の方向の画線方向及び第２の画線幅（Ｗ２）を有する。
【００４２】
なお、第１の方向と第２の方向は、少なくとも１０度以上異なっている必要がある。角度差が小さい場合、拡散反射光と正反射光が混在した領域で出現する第二の有意情報の視認性が低くなるためである。
【００４３】
集合蒲鉾状画線群（５）は、前述したとおり、四種類の異なる蒲鉾状画線（７）によって構成された四種類の蒲鉾状画線群（８）から構成される。具体的には、図５に示すように、第１の蒲鉾状画線（７Ａ）が第１の方向（Ｓ１）に万線状に配置された第１の蒲鉾状画線群（８Ａ）、第２の蒲鉾状画線（７Ｂ）が第１の方向（Ｓ１）に万線状に配置された第２の蒲鉾状画線群（８Ｂ）、第３の蒲鉾状画線（７Ｃ）が第２の方向（Ｓ２）に万線状に配置された第３の蒲鉾状画線群（８Ｃ）、第４の蒲鉾状画線（７Ｄ）が第２の方向（Ｓ２）に万線状に配置された第４の蒲鉾状画線群（８Ｄ）から成る。それぞれの蒲鉾状画線群（８）は、互いに重なり合うことなく、隣接して成る。
【００４４】
図４の例においては、全ての蒲鉾状画線群（８）における蒲鉾状画線（７）の配置ピッチを同じ値（Ｐ１）として説明したため、第１の蒲鉾状画線（７Ａ）と第３の蒲鉾状画線（７Ｃ）の画線幅を同じ第１の画線幅（Ｗ１）とし、第２の蒲鉾状画線（７Ｂ）と第４の蒲鉾状画線（７Ｄ）の画線幅を同じ第２の画線幅（Ｗ２）としたが、配置ピッチが異なっていれば、画線幅自体は同じ必要はない。重要なのは、第１の蒲鉾状画線群（８Ａ）における画線面積率と第３の蒲鉾状画線群（８Ｃ）における画線面積率は、等しい面積率（第１の画線面積率）である必要があり、第２の蒲鉾状画線群（８Ｂ）における画線面積率と第４の蒲鉾状画線群（８Ｄ）における画線面積率は、等しい面積率（第２の画線面積率）であり、なおかつ、第１の画線面積率と第２の画線面積率は異なる値をとることである。
【００４５】
それぞれの蒲鉾状画線群（８）の組合せ方によって、第一の有意情報と第二の有意情報が現れる。まず、画線面積率が同じ第１の画線面積率同士、第２の面積率同士、すなわち第１の蒲鉾状画線群（８Ａ）と第３の蒲鉾状画線群（８Ｃ）を一組とし、第２の蒲鉾状画線群（８Ｂ）と第４の蒲鉾状画線群（８Ｄ）をもう一組として、この組別として集合潜像画線群（４）の画像を区分けすると、第一の有意情報であるアルファベットの「ＪＰＮ」の文字と、その背景に区分けされる。
【００４６】
次に、画線方向が同じ第１の方向（Ｓ１）同士、第２の方向（Ｓ２）同士、すなわち第１の蒲鉾状画線群（８Ａ）と第２の蒲鉾状画線群（８Ｂ）を一組とし、第３の蒲鉾状画線群（８Ｃ）と第４の蒲鉾状画線群（８Ｄ）をもう一組として、この組別として集合潜像画線群（４）の画像を区分けすると、第二の有意情報である桜の画像と、その背景に区分けされる。
【００４７】
以上のように、集合蒲鉾状画線群（５）は、画線面積率で画像を区分けした場合には、第一の有意情報が、画線方向で画像を区分けした場合には、第二の有意情報が現れる構成を有する。
【００４８】
なお、第１の画線面積率と第２の画線面積率は、少なくとも５％以上５０％以下の差異がある必要がある。蒲鉾状画線（８）を形成するために用いるインキの色彩によって左右されるが、如何なる色彩であったとしても５％未満の差異しかない場合、拡散反射光下で視認される第一の有意情報の視認性が低くなり過ぎるためであり、５０％を越える差異がある場合、拡散反射光と正反射光下が混在する角度領域において、第一の有意情報が消失しきらないためである。
【００４９】
なお、本発明において、「万線状に配置する」とは、複数の画線が規則的に所定のピッチで配列されている状態をいう。なお、第一の実施の形態において、それぞれの蒲鉾状画線群（８）は、盛り上がりを有した蒲鉾状の連続して繋がった画線の集合によって構成された例について説明するが、本発明における蒲鉾状画線群（８）は、これに限定されるものではなく、蒲鉾状画線群（８）の一形態として分断線や点線等の不連続線や曲線や波線、同心円等の曲がった線等の集合で構成してもよい。
【００５０】
蒲鉾状画線（７）は、樹脂を含んだ材料によって構成される必要がある。ここで言う樹脂とは、ウレタン樹脂、アクリル樹脂、アルキド樹脂、エポキシ樹脂、ポリエステル樹脂、フェノール樹脂等の一般的な印刷インキのワニス成分に当たる、一定の光沢を有した樹脂を指す。透かし、エンボス等によって基材（２）に直接凹凸を形成する構成では、本発明の必須要件を満たさない。これは、基材（２）と同じ素材で構成した場合には、蒲鉾状画線（７）の上に形成される反射層（６）の反射光量を嵩上げする効果を得られないためである。
【００５１】
一般にＵＶ硬化型のスクリーン印刷によって蒲鉾状画線（７）を形成する場合、スクリーンインキの粘度が高い方が、蒲鉾状画線（７）の盛り上がり高さは高く、かつ、それぞれの蒲鉾状画線（７）の三次元立体形状は、互いに均一になる傾向にある。このような蒲鉾状画線（７）の均一な構造は、潜像の視認性や鮮明さを高めるために極めて好ましいことから、本発明の蒲鉾状画線（７）を形成するに当たっては、粘度の高いインキを用いることが好ましい。
【００５２】
従来のように蒲鉾状画線（７）自体に特殊な光学特性を付与しなければならない形態において、高粘度のインキを使用した場合には、インキ内の機能性材料の配向に悪影響を与え、光学特性が低下することから、粘度の低いインキとせざるを得ず蒲鉾状画線（７）の三次元立体形状は犠牲になることが通例であった。これに対し、粘度の高いインキを用いて均質な蒲鉾状画線（７）の形成を成し得るのは、蒲鉾状画線（７）が特別な光学特性の実現を担う必要がないことに起因し、これは本発明の大きな長所の一つである。均質な立体構造の蒲鉾状画線（７）の形成を重視するのであれば、インキ粘度は、１．５Ｐａ・ｓを越えていることが好ましい。
【００５３】
また、蒲鉾状画線（７）は透明以外の基材（２）と異なる色彩を有する必要がある。これは、透明であったり、基材（２）と同じ色彩を有する場合、拡散反射光下で視認される第一の有意情報が不可視となってしまうためである。以上が集合蒲鉾状画線群（５）の説明である。
【００５４】
続いて、反射層（６）について説明する。図６に示す反射層（６）は、一定の階調表現域の範囲で、下地画像（４）と同じ第三の有意情報を表して成る。ここで、反射層（６）が表す第三の有意情報と、下地画像（４）の表す第三の有意情報は、その濃淡の関係が反転している必要がある。すなわち、本実施の形態の例のように、下地画像（４）の表す第三の有意情報がネガの構成であれば、反射層（６）では第三の有意情報がポジの状態で表される必要がある。逆に下地画像（４）の表す第三の有意情報がポジの構成であれば、反射層（６）では第三の有意情報がネガの状態で表される必要がある。
【００５５】
本実施の形態においては、反射層（６）の表す第三の有意情報を単純な二値画像とし、かつ、第三の有意情報をポジの状態で表しているため、アルファベットの「ＯＫ」の文字を表す第二の情報部（６Ａ）とその背景を表す第二の背景部（６Ｂ）に区分けされる。ここで、反射層（６）における一定の階調表現域の範囲とは、反射層（６）を構成する画像全体の最大面積率と最小面積率の差を定め、その範囲内で表現できる階調範囲を指す。これに関しては下地画像（４）と同じである。反射層（６）を構成するインキの色彩にもよるが、基本的には反射層（６）における最大面積率と最小面積率の差を１５％以上４０％以下とすることが好ましい。
【００５６】
また、反射層（６）全体の階調は高いことが好ましいため、高めの面積率とすることが好ましい。例えば、図６の例で言えば、第２の情報部（６Ａ）の面積率（反射層（６）の最大面積率）を１００％とするのであれば、第２の背景部（６Ｂ）の面積率（反射層（６）の最小面積率）は、６０％以上８５％以下とする必要があり、第２の情報部（６Ａ）の面積率を９０％とするのであれば、第２の背景部（６Ｂ）の面積率は、５０％以上７５％以下とする必要がある。少なくとも集合蒲鉾状画線群（５）において、第一の有意情報の濃淡差よりも第三の有意情報の濃淡差が小さくなるように設計する必要がある。この階調表現域を一定の範囲に制限するのは、下地画像（４）と同様に、拡散反射光下及び正反射光下において第三の有意情報を観察者に視認させないためである。
【００５７】
ここで、反射層（６）と下地画像（４）の表す画像と色彩の関係について具体的に説明する。反射層（６）と下地画像（４）が表す第三の有意情報は、正反射光が支配的な観察環境で出現するものの、仮に単独で存在した場合には、基材と異なる色彩を有するため、拡散反射光下でも第三の有意情報が視認されてしまう。このため、反射層（６）と下地画像（４）を互いに濃淡の反転した対を成す画像の関係として、拡散反射光下において互いの濃淡を打ち消し合って、第三の有意情報を不可視とする効果を得ている。そのため、反射層（６）と下地画像（４）の表す画像は、重ね合わせた場合に完全に画像が消失する構成となっているのが最も好ましい。そのために、反射層（６）と下地画像（４）の色彩は等色であることが技術的には最も好ましい構成であると言える。
【００５８】
ただし、反射層（６）と下地画像（４）の間に濃淡を有した集合蒲鉾状画線群（５）が挟みこまれる構成であるため、この濃淡にカモフラージュされることから、実際には反射層（６）と下地画像（４）の間にある程度の色差が存在しても第三の有意情報が拡散反射光下で可視化されることはない。このため、本発明における反射層（６）と下地画像（４）の画像構成上の条件とは、それぞれ画像を濃淡反転した関係であって、かつ、それぞれの画像の色相が同じであることと定義する。この条件を満たせば、集合蒲鉾状画線群（５）の構成によって第三の有意情報を拡散反射光下で隠蔽することが可能となるためである。
【００５９】
なお、本発明においては、下地画像（４）、集合蒲鉾状画線群（５）及び反射層（６）の三つの画像が重なり合った構造を印刷画像（３）と定義する。下地画像（４）、集合蒲鉾状画線群（５）及び反射層（６）のいずれか一つでも重なり合わずに単独で存在する構造は、印刷画像（３）に含まれない、印刷画像（３）に隣接する単なる修飾要素と見なす。
【００６０】
なお、反射層（６）の最大面積率は、理論上面積率１００％として形成することが正反射時に出現する第二の有意情報の視認性を高めるために効果的であるが、面積率１００％で形成することで発生するムカレやピッキングといった印刷トラブルを避けることを目的に面積率をやや低く形成しても何ら問題ない。基本的には、反射層（６）全体の面積率を高く構成することが、本発明の画像の可視光下のチェンジ効果を高める上で重要である。
【００６１】
反射層（６）は、先に印刷されてあらかじめ硬化した集合蒲鉾状画線群（５）の上に形成される。反射層（６）は、一定膜厚のインキ層から成ることから、集合蒲鉾状画線群（５）と反射層（６）が重なった印刷画線（３）の表面は、集合蒲鉾状画線群（５）の盛り上がりの高さや幅のような大まかな立体構造はそのまま反映されるが、一方で集合蒲鉾状画線群（５）の画線表面のわずかな凹凸は、反射層（６）の膜厚によって、印刷直後に、ある程度平坦に埋められる。このため、印刷画像（３）の表面は、集合蒲鉾状画線群（５）の表面よりも滑らかになり、結果として正反射光下で出現する第二の有意情報の鮮明さが向上することとなる。
【００６２】
また、反射層（６）は、光が入射した場合には強く光を反射する特性を有する必要がある。具体的には、光が入射した場合に、明るさ（明度）が上昇する特性、いわゆる明暗フリップフロップ性、又は光が入射した場合に色相が変化する特性、いわゆるカラーフリップフロップ性の少なくともいずれか一方の光学特性を有する必要がある。
【００６３】
明暗フリップフロップ性は、アルミや真鍮、酸化鉄等の一般的な金属顔料をインキ中に配合することで容易に付与することができる。また、カラーフリップフロップ性は、カラーフリップフロップ性を備えた機能性顔料をインキ中に配合することで付与できる。カラーフリップフロップ性を備えた機能性材料の具体的な一例としては、パール顔料、コレステリック液晶、ガラスフレーク顔料、金属粉顔料、鱗ペン状金属顔料等がある。また、当然のことながら機能性顔料をインキに配合するだけではなく、明暗フリップフロップ性やカラーフリップフロップ性を有するインキとして市販されているインキを用いて反射層（６）を形成してもよい。明暗フリップフロップ性を有する市販インキとしては、金インキ、銀インキ、樹脂自体の光沢が高いＯＰニス、グロスニス等が存在し、カラーフリップフロップ性を有する市販インキとしては、ＣＳＩ（Ｃｏｌｏｒ Ｓｈｉｆｔｉｎｇ Ｉｎｋ）やＯＶＩ（Ｏｐｔｉｃａｌ Ｖａｒｉａｂｌｅ Ｉｎｋ）、液晶インキ等がある。
【００６４】
また、反射層（６）は、透明や半透明以外の色彩を有する必要がある。特定の色彩を有することによって、反射層（６）に光が入射した場合に生じる反射光以外は全て反射層（６）で吸収され、蒲鉾状画線（７）と反射層（６）の積層された画線の画線表面から生じる表面反射光のみとなることから、本発明の効果の一つである潜像の鮮明さを担保することができる。
【００６５】
最後に、集合蒲鉾状画線群（５）の最大面積率と最小面積率の差異と反射層（６）の最大面積率と最小面積率の差異の関係について具体的に記す。基本的に反射層（６）の最大面積率と最小面積率は、集合蒲鉾状画線群（５）の最大面積率と最小面積率の差異より大きい必要がある。これは、正反射光が支配的な観察角度において第三の有意情報を視認させるために必要となる構成である。正反射光が支配的な観察角度では、色材の材質の違いや画像の反射率の差異がより強調されるため、この面積率の関係が逆転した場合、正反射光が支配的な観察角度において、第三の有意情報と同時に第一の有意情報が同時に出現する場合があるためである。以上が反射層（６）の説明である。
【００６６】
以上の構成で作製した下地画像（４）、集合蒲鉾状画線群（５）及び反射層（６）とを図７に示す積層順序で重ね合わせて本発明の潜像印刷物（１）が完成する。三つの画像の重なり合いの位置関係に関しては、スクリーン画線による集合蒲鉾状画線群（５）に関しては単に重なり合ってさえいればよく、多少の刷り合わせずれが発生したとしても、効果自体に影響を及ぼすことはない。
【００６７】
下地画像（４）と反射層（６）に関しては、理想的には完全に一致して重なり合うことが好ましいが、集合蒲鉾状画線群（５）の濃淡に隠蔽されることから、多少の刷り合わせずれに関しては許容される。なお、この二つの画像の刷り合わせずれが大きくなりすぎた場合に明らかな空白部が生じるのを防ぐために、反射層（６）の第三の有意情報の輪郭（ポジのＯＫの輪郭）をわずかに大きめに設計したり、逆に下地画像（４）の第三の有意情報の輪郭（ネガのＯＫの輪郭）をわずかに小さく設計したりすることで、下地画像（４）と反射層（６）がオーバーラップする領域をあえて設けてもよい。
【００６８】
この場合、オーバーラップ分の刷り合わせが生じたとしても、印刷画像（３）の中に空白部が生じない構成となる。オーバーラップとしては、下地画像（４）と反射層（６）それぞれに０．１〜０．２５ｍｍ程度設ければ、０．２〜０．５ｍｍの刷り合わせずれをカバーすることができる。これは仮に刷り合わせの位置関係が定まり難いウェブ印刷機を用いたとしても機上で生じる刷り合わせの変動を余裕で許容できる量である。
【００６９】
図８は、蒲鉾状画線（７）上の反射層（６）が光を反射した場合の模式図であり、蒲鉾状画線（７）に重なった反射層（６）をデフォルメして厚く表現してあり、実際の反射層（６）は、極めて薄い。なお、反射光は、反射層（６）から生じているため、実際には蒲鉾状画線（７）の画線表面から生じる表面反射光自体ではないが、蒲鉾状画線（７）の画線表面に沿って反射層（６）が形成されていることから、反射層（６）から生じる反射光は、蒲鉾状画線（７）の画線表面から生じる表面反射光に略等しいと言える。
【００７０】
以上、説明したとおり、本発明の情報担持体（１）において、インキ樹脂で形成された盛り上がりを有する蒲鉾状画線（７）の上に、基材と異なる色彩を有して明暗フリップフロップ性又はカラーフリップフロップ性を備えた反射層（６）を形成することで、反射光の光量を増大させるとともに、かつ、反射光を蒲鉾状画線（７）の画線表面由来の光のみとすることができる。
【００７１】
以上のような構成で作製した本発明の情報担持体（１）の効果について、図９を用いて説明する。図９（ａ）のように、拡散反射光下で本発明の潜像印刷物（１）の印刷画像（３）を観察した場合、観察者の視点（１０）からは、第一の有意情報であるアルファベットの「ＪＰＮ」の文字が視認される。一方、図９（ｂ）のように、拡散反射光（１１）と正反射光が混在する観察角度で本発明の情報担持体（１）の印刷画像（３）を観察した場合、観察者の視点（１０）からは、第一の有意情報が消失して、第二の有意情報である「桜」の画像が視認される。また、入射する光の方向が変化することで、「桜」の画像の濃淡が反転するネガポジ反転効果が生じる。なお、第二の有意情報がネガポジ反転して視認できる観察角度については、図９（ｂ）に示すように、図９（ｃ）に示す正反射光が支配的な観察角度（図面上、点線で示唆）に対して、同じ角度（α）だけ傾けた両側においてネガ画像とポジ画像として視認できるものである。
【００７２】
以上のように、入射する光の角度の変化に応じて、印刷画像（３）中に視認される画像がチェンジする効果を有する。また、図９（ｃ）に表すように、正反射光が支配的な観察角度で印刷画像（３）を観察すると、第三の有意情報であるアルファベットの「ＯＫ」の文字が視認される。
【００７３】
以上のような効果を生じる理由について説明する。まず、図９（ａ）に示すように、拡散反射光下で情報担持体（１）を観察した場合、集合蒲鉾状画線群（５）が表す第一の有意情報が視認でき、第二の有意情報と第三の有意情報は視認できない。これは、拡散反射光下においては、物質の立体構造や材質の違いではなく、色彩の違いが強調されるため、集合蒲鉾状画線群（５）の中で画線面積率の違いによって表現された第一の有意情報が可視化される。第二の有意情報は、面積率が同じ画線で構成されているため、濃淡が生じずこの領域では不可視である。また、下地画像（４）と反射層（６）中の第三の有意情報は、一定の濃淡差を有して形成されているものの、それぞれの画像の濃淡が打ち消し合う構成となっているため、拡散反射光領域では不可視となる。
【００７４】
一方、図９（ｂ）に示すように、拡散反射光と正反射光が混在する観察角度で潜像印刷物（１）を観察した場合、集合蒲鉾状画線群（５）が表す第二の有意情報のみが視認でき、第一の有意情報及び第三の有意情報は視認できない。これは、反射層（６）から正反射光が生じて集合蒲鉾状画線群（５）の画線表面が淡く変化して階調が圧縮されて第一の有意情報が消失する。一方で、反射層（６）下に存在するそれぞれの蒲鉾状画線（７）の画線方向の違いに応じた反射光量の大小が生まれ、結果として画線方向の違いで表現して成る第二の有意情報が、反射層（６）から生じた反射光量の違いによって出現するものである。
【００７５】
また、反射層（６）の第三の有意情報は、単体で構成されている場合には、この領域で第２の情報部（６Ａ）と第２の背景部（６Ｂ）との面積率の差異に基づく反射光量の違いによって目視できる色差が生じるものの、三層構造の本発明の情報担持体（１）においては、集合蒲鉾状画線群（５）が表す第二の有意情報のコントラストの強さによって目視上隠蔽される。また、入射する光と平行に近い角度を成した画線がより強く光を反射するため、入射する光の方向の変化によって、異なる画線方向を有する蒲鉾状画線（７）で構成された第二の有意情報がネガポジ反転する効果が生じる。
【００７６】
また、図９（ｃ）のように、正反射光が支配的な観察角度では第三の有意情報のみが視認できる。拡散反射光下での観察や拡散反射光と正反射光が混在する観察と異なり、この領域では画線方向の違いや色彩（濃淡）の違いは目立たず、それぞれの層を構成する色材の材質の違いや画像の反射率の差異が強調される。
【００７７】
本発明では、反射層（６）の第２の情報部（６Ａ）と第２の背景部（６Ｂ）の反射率の違いが強調されて第三の有意情報のネガポジが反転した形で出現するとともに、拡散反射光下では、反射層（６）の濃淡を打ち消す働きを成していた下地画像（４）が逆に第三の有意情報をより強調する働きに変化する。すなわち、拡散反射光下では、反射層（６）と下地画像（４）の画像構成の関係が、反射層（６）がポジ、下地画像（４）がネガの、画像が反転した関係にあったため、相互に打ち消し合う効果が生じて第三の有意情報が不可視となっていたが、正反射光下では、反射層（６）が光を反射してネガ画像に反転することで、反射層（６）がネガ、下地画像（４）もネガとなり、画像が強調し合う効果が生じて第三の有意情報が可視化される。以上が本発明の画像のチェンジ効果が生じる原理である。
【００７８】
本発明の印刷画像（３）においては、インキ樹脂で形成された蒲鉾状画線（７）上に反射層（６）が重なる構成のため、反射層（６）から生じる反射光が大きく嵩上げされる。この反射光量の増大は、従来のような蒲鉾状画線（７）から直接反射光を生じさせる技術において得られる常識的な反射光量をはるかに凌ぐ量であり、他の従来技術のチェンジ効果とはレベルが異なる、本発明の情報担持体（１）の高いチェンジ効果を生じさせる上で非常に重要な要素となっている。
【００７９】
また、本発明において印刷画像（３）から生じる反射光は、蒲鉾状画線（７）の画線表面由来の光のみであるため、正反射光が存在する領域において画線方向の違いによって生じる反射光量の違いがより顕著になり、結果として第二の有意情報の視認性や鮮明さが向上する。
【００８０】
以上のように、拡散反射光と正反射光が混在する観察角度で生じる第一の有意情報の消失と、第二の有意情報の出現を同時に実現することによって生じる画像のチェンジ効果は、従来の技術のチェンジ効果と比較しても極めて鮮明で劇的な効果であり、これは、他の従来技術のチェンジ効果とは一線を隔す、本発明の情報担持体（１）の最も大きな特徴となっている。
【００８１】
なお、本明細書中で言う「正反射」とは、物質にある入射角度で光が入射した場合に、入射した光の角度と略等しい角度に強い反射光が生じる現象を指し、「拡散反射」とは、物質にある入射角度で光が入射した場合に、入射した光の角度と異なる角度に弱い反射光が生じる現象を指す。例えば、虹彩色パールインキを例とすると、拡散反射の状態では無色透明に見えるが、正反射した状態では特定の干渉色の強い光を発する。
【００８２】
また、「正反射光下で観察する」とは、印刷物に入射した光の角度と略等しい反射角度に視点をおいて観察する状態を指し、「拡散反射光下で観察する」とは、印刷物に入射した光の角度と大きく異なる角度で観察する状態を指す。「拡散反射光と正反射光が混在する観察角度で観察する」とは、正反射光は生じているものの、印刷物に入射した光の角度と略等しい反射角度からわずかに角度がずれた角度から印刷画像を観察している状態であって、最も正反射光が強く生じる正反射光下と比較して正反射光がやや弱く、正反射光と拡散反射光とがそれぞれ混在している角度で観察する状態を指す。「正反射光が支配的な観察角度」とは、印刷物に入射した光の角度と略等しい反射角度から印刷画像を観察している状態であって、最も正反射光が強く生じる角度で観察する状態を指す。
【００８３】
なお、拡散反射光下では、それぞれの画像の色彩の違いが強調され、正反射光下では、それぞれの画像を構成する光の反射率の違いが相対的に強調され、拡散反射光と正反射光が混在する角度領域では、画像の立体構造の違いが相対的に強調される傾向にある。
【００８４】
また、本発明の情報担持体（１）の第三の有意情報は、正反射光が支配的な観察角度だけでなく、正反射光と拡散反射光とがそれぞれ混在している角度で観察した場合でも出現する場合がある。それは、集合蒲鉾状画線群（５）を構成する蒲鉾状画線（７）の二つの画線方向、すなわち、第１の方向（図中Ｓ１）と第２の方向(図中Ｓ２)のちょうど中間の方向から光が入射した場合である。具体的には、４５度の方向から光が入射した場合、正反射光と拡散反射光とがそれぞれ混在している観察角度でも、第１の画線方向の二つの蒲鉾状画線（７Ａ、７Ｂ）と、第２の画線方向の二つの蒲鉾状画線（７Ｃ、７Ｄ）の四つの画線から生じる反射光量が略等しくなり、第一の有意情報と第二の有意情報が消失し、結果として第三の有意情報が視認できる。
【００８５】
蒲鉾状画線（７）の画線の盛り上がりの高さは特に制限するものではないが、流通適性を考えると１ｍｍ以上の高さを有することは好ましくない。また、蒲鉾状画線（７）をインキによって形成する場合であって、皮膜の厚さが２μｍ以下の場合は、画像のチェンジ効果が低くなる場合がある。よって、蒲鉾状画線（７）をインキ皮膜によって形成する場合には、２μｍ以上１ｍｍ以下であることが好ましい。
【００８６】
蒲鉾状画線群（７）のピッチは、０．０１ｍｍ以上５．０ｍｍ以下で形成することが好ましい。０．０１ｍｍ以下のピッチで、蒲鉾状画線（７）に２μｍ以上の盛り上がりを形成する場合には、一般的な印刷で再現できる蒲鉾状画線（７）のピッチとしては、ほぼ限界のピッチであり、印刷物品質の安定性に欠ける上に、たとえ、０．０１ｍｍ以下のピッチで要素を形成できた場合でも、ほとんどの場合、出現する潜像の視認性が極端に低くなるため適当ではない。また、逆に、５.０ｍｍ以上のピッチで形成した場合には、潜像として再現できる画像の解像度が極端に低くなってしまうため、適切ではない。
【００８７】
反射層（６）を印刷で形成する場合には、比較的高解像度な印刷が可能なオフセット印刷方式、フレキソ印刷方式等が適している他、インクジェットプリンタ、レーザプリンタ等のデジタル印刷機を用いて形成することも可能である。これらのデジタル印刷機を用いる場合には、一枚一枚異なる情報を与える可変情報を容易に付与できるという特徴がある。
【００８８】
また、本発明における「画線」とは、印刷画像（３）を形成する最小単位の小さな点である網点を特定の方向に一定の距離連続して配置した点線や破線の分断線、直線、曲線、破線等を指す。また、「画素」とは印刷画像（３）を形成する最小単位の小さな点である網点を一塊とした構成を指し、単純な円や多角形だけでなく、記号、文字、マーク等で表してもよい。
【００８９】
以下、前述の発明を実施するための形態に従って、具体的に作成した情報担持体（１）の実施例について詳細に説明するが、本発明は、この実施例に限定されるものではない。
【実施例１】
【００９０】
実施例１については、実施の形態で説明した情報担持体（１）の例で説明する。具体的には、実施の形態と同様に図１から図９を用いて説明する。図１に、実施例１の情報担持体（１）を示す。情報担持体（１）は、基材（２）上に銀色の印刷画像（３）を有して成る。基材（２）には、一般的な微塗工紙（レイナＲ  日本製紙製）を用いた。
【００９１】
図２に印刷画像（３）の概要を示す。印刷画像（３）は、下地画像（４）の上に集合蒲鉾状画線群（５）が重なり、更に集合蒲鉾状画線群（５）の上に反射層（６）が重ね合わさって成る。集合蒲鉾状画線群（５）は、第一の有意情報としてアルファベットの「ＪＰＮ」の文字を表し、第二の有意情報として桜の画像を表し、下地画像（４）と反射層（６）は、第三の有意情報としてアルファベットの「ＯＫ」の文字を表して構成した。
【００９２】
図３に示す下地画像（４）は、第１の情報部（４Ａ）を網点面積率０％、第２の背景部（４Ｂ）を２０％として、ウェットオフセット用の通常の黒インキ（ベストワンパーフェクト墨  Ｍ−ＨＳ  株式会社Ｔ＆Ｋ  ＴＯＫＡ製）を用いて形成した。
【００９３】
図４及び図５に、基材（２）上に形成した集合蒲鉾状画線群（５）を示す。第１の蒲鉾状画線群（８Ａ）は、第２の方向（Ｓ２方向）の画線幅０．２３ｍｍの直線を成す第１の蒲鉾状画線（７Ａ）を、第１の方向（Ｓ１方向）に、ピッチ０．４ｍｍで万線状に配置して構成した。第２の蒲鉾状画線群（８Ｂ）は、第２の方向（Ｓ２方向）の画線幅０．２８ｍｍの直線を成す第２の蒲鉾状画線（７Ｂ）を、第１の方向（Ｓ１方向）に、ピッチ０．４ｍｍで万線状に配置して構成した。第３の蒲鉾状画線群（８Ｃ）は、第１の方向（Ｓ１方向）の画線幅０．２３ｍｍの直線を成す第３の蒲鉾状画線（７Ｃ）を、第２の方向（Ｓ２方向）に、ピッチ０．４ｍｍで万線状に配置して構成した。第４の蒲鉾状画線群（８Ｄ）は、第１の方向（Ｓ１方向）の画線幅０．２８ｍｍの直線を成す第４の蒲鉾状画線（７Ｄ）を、第２の方向（Ｓ２方向）に、ピッチ０．４ｍｍで連続して配置して構成した。第１の画線面積率は、約５８％であり、第２の画線面積率は、７０％であって、アルファベットの「ＪＰＮ」の文字は、背景と１２％の面積率の差異を有して構成した。
【００９４】
このような画線構成の集合蒲鉾状画線群（５）をＵＶ乾燥方式のスクリーン印刷により、高粘度で透明なスクリーンインキ（ＵＶ  ＰＯＴ  点字用クリア  帝国インキ製造株式会社製）に、カーボンブラックを約０．２％配合した黒色インキを用いて基材（２）上に印刷した。蒲鉾状画線群（５）の高さは、約１５μｍであった。
【００９５】
図６に示す反射層（６）は、ムカレを防止することを目的に最大面積率を９０％とし、最小面積率を６０％とすることで、階調表現域３０％の範囲で第三の有意情報であるアルファベットの「ＯＫ」の文字をポジで表した構成とした。ウェットオフセット印刷で銀インキ（ニューチャンピオン  シルバー  ＤＩＣ製）を用いて蒲鉾状画線群（４）上に印刷した。
【００９６】
この反射層（６）は、拡散反射光下では暗い灰色に、正反射光下では白色となり、優れた明暗フリップフロップ性を有する。また、拡散反射光下において、下地画像（４）の形成に用いた黒インキと同じ色相である。反射層（６）の印刷皮膜は、約１μｍであった。なお、集合蒲鉾状画線群（５）の形成に用いた黒インキに対して、反射層（６）の形成に用いた銀インキは、約４分の１程度の色濃度を有する。
【００９７】
実施例１の情報担持体（１）の効果について図９を用いて説明する。図９（ａ）のように、拡散反射光下で本発明の情報担持体（１）の印刷画像（３）を観察した場合、観察者の視点（１０）からは、第一の有意情報であるアルファベットの「ＪＰＮ」の文字が灰色で視認された。一方、図９（ｂ）のように、拡散反射光と正反射光が混在する観察角度で本発明の情報担持体（１）の印刷画像（３）を観察した場合、観察者の視点（１０）からは、第一の有意情報である「ＪＰＮ」の文字が消失して、淡い灰色の背景の中に第二の有意情報である桜の画像が背景部の色彩と比較して明るい色か、より暗い色で視認された。
【００９８】
また、正反射光が支配的な観察角度で観察した場合、観察者の視点（１０）からは、第一の有意情報である「ＪＰＮ」及び第二の有意情報である桜の画像が消失して、第三の有意情報であるアルファベットの「ＯＫ」の文字がネガの状態で視認された。以上のように、入射する光の角度の変化や観察する光の波長に応じて、印刷画像（３）中に視認される画像が鮮明にチェンジする効果を有することが確認できた。
【符号の説明】
【００９９】
１          情報担持体
２          基材
３          印刷画像
４          下地画像
４Ａ          第１の情報部
４Ｂ          第１の背景部
５          集合蒲鉾状画線群
６          反射層
６Ａ          第２の情報部
６Ｂ          第２の背景部
７，７Ａ，７Ｂ，７Ｃ，７Ｄ          蒲鉾状画線
８，８Ａ，８Ｂ，８Ｃ，８Ｄ          蒲鉾状画線群
９          光源
１０          観察者の視点
ａ          インキ樹脂
ｂ          鱗ペン状の機能性材料
ｃ          表面反射光
ｄ          内面反射光
【図１】
2017056641.tif 000003
【図２】
2017056641.tif 000004
【図３】
2017056641.tif 000005
【図４】
2017056641.tif 000006
【図５】
2017056641.tif 000007
【図６】
2017056641.tif 000008
【図７】
2017056641.tif 000009
【図８】
2017056641.tif 000010
【図９】
2017056641.tif 000011
【図１０】
2017056641.tif 000012
【図１１】
2017056641.tif 000013